(57)【要約】【課題】目的画像の選択や選択画像に対する処理指定等を直感的になじみやすい操作で行うことを可能とした画像表示装置を提供する。【解決手段】画像表示装置１のパネル部１０は、デジタルカメラ５０から取り込んだ複数の画像データを一覧表示可能な例えば壁掛け型の表示デバイスであり、一方、電子ピン６０ａ〜ｅは、このパネル部１０に貼付可能な貼付部材である。電子ピン６０ａ〜ｅは、固有の信号を検知させるための磁界を各々発生させており、パネル部１０の表示面に貼付されると、その信号と貼付位置とを電子ピン検出部１１１が検出する。そして、その検出を電子ピン検出部１１１から通知されたＣＰＵ１０１は、その貼付位置に表示されている画像を判定し、その画像の画像データについて、電子ピン６０ａ〜ｅの種類に対応した特定の処理を実施する。【選択図】      図３
2006155194.tif 000002
【特許請求の範囲】
【請求項１】
画像を表示する画像表示手段と、
その表示位置に対応する前記画像表示手段の表示面上の位置に貼付部材が貼付された画像を検出する画像検出手段と、
前記画像検出手段により検出された画像の画像データについて特定の処理が実行されるように制御する制御手段と
を具備することを特徴とする画像表示装置。
【請求項２】
前記制御手段は、前記貼付部材の種類に応じた処理が前記特定の処理として実行されるように制御することを特徴とする請求項１記載の画像表示装置。
【請求項３】
前記制御手段は、記憶媒体からの消去を禁止する処理が前記特定の処理として実行されるように制御することを特徴とする請求項１記載の画像表示装置。
【請求項４】
前記画像表示手段に表示中の画像の表示位置の移動を指示する指示手段と、
前記指示手段による指示に基づき、前記画像表示手段に表示中の画像の表示位置を移動させる表示処理手段と
を具備し、
前記制御手段は、前記指示手段による指示に基づく前記表示処理手段による移動を禁止する処理が前記特定の処理として実行されるように制御することを特徴とする請求項１記載の画像表示装置。
【請求項５】
前記表示処理手段は、各画像の表示形態を制御し、
前記制御手段は、前記貼付部材が貼付された画像と前記貼付部材が貼付されていない画像とを識別可能に表示するように前記表示処理手段を制御することを特徴とする請求項４記載の画像表示装置。
【請求項６】
前記指示手段は、前記画像表示手段の表示面上に設けられた透明タッチパネルであることを特徴とする請求項４または５記載の画像表示装置。
【請求項７】
前記制御手段は、外部機器に送信する処理、外部の印刷装置に出力する処理および外部の記憶装置に格納する処理の中の少なくとも１つが前記特定の処理として実行されるように制御することを特徴とする請求項１記載の画像表示装置。
【請求項８】
前記制御手段は、前記画像検出手段により複数の画像が検出された場合、この検出された複数の画像の画像データそれぞれについて前記特定の処理が実行されるように制御することを特徴とする請求項１記載の画像表示装置。
【請求項９】
前記制御手段は、前記画像検出手段により複数種類の貼付部材が貼付された画像が検出された場合、この検出された画像の画像データについて貼付された貼付部材の種類それぞれに対応する処理が各々実行されるように制御することを特徴とする請求項１記載の画像表示装置。
【請求項１０】
前記画像検出手段は、前記貼付部材が発生させる磁界を検出するマトリックス状に配列されたコイルを有することを特徴とする請求項１記載の画像表示装置。
【請求項１１】
画像を表示する画像表示手段と、
前記画像表示手段の表示面上に貼付される貼付部材と、
前記貼付部材が貼付された位置に表示中の画像を検出する画像検出手段と、
前記画像検出手段により検出された画像の画像データについて特定の処理が実行されるように制御する制御手段と
を具備することを特徴とする画像表示装置。
【請求項１２】
前記貼付部材は、前記画像表示手段の表示面上に貼着可能な粘着面を有することを特徴とする請求項１１記載の画像表示装置。
【請求項１３】
前記貼付部材は、磁界を発生させる磁界発生手段を有することを特徴とする請求項１１記載の画像表示装置。
【請求項１４】
前記貼付部材は、磁界を発生させる磁界発生手段を有することを特徴とする請求項１１記載の画像表示装置。
【請求項１５】
前記貼付部材は、前記特定の処理の種類毎に異なる形態を備えた複数の種類が用意されることを特徴とする請求項１１記載の画像表示装置。
【請求項１６】
画像を表示する画像表示手段を備えた画像表示装置の制御方法であって、
その表示位置に対応する前記画像表示手段の表示面上の位置に貼付部材が貼付された画像を検出し、
この検出した画像の画像データについて特定の処理が実行されるように制御する
ことを特徴とする画像表示装置の制御方法。
【請求項１７】
画像を表示する画像表示手段を備えた画像表示装置の制御方法をコンピュータに実行させるためのプログラムであって、
前記制御方法は、
その表示位置に対応する前記画像表示手段の表示面上の位置に貼付部材が貼付された画像を検出し、
この検出した画像の画像データについて特定の処理が実行されるように制御する
ことを特徴とするプログラム。
【請求項１８】
画像を表示する画像表示手段を備えた画像表示装置の制御方法をコンピュータに実行させるためのプログラムを記録したコンピュータ読み取り可能な記憶媒体であって、
前記制御方法は、
その表示位置に対応する前記画像表示手段の表示面上の位置に貼付部材が貼付された画像を検出し、
この検出した画像の画像データについて特定の処理が実行されるように制御する
ことを特徴とするコンピュータ読み取り可能な記憶媒体。
【発明の詳細な説明】
【技術分野】
【０００１】
この発明は、例えばデジタルカメラで撮影された複数の画像を一覧表示可能な表示面を有する画像表示装置に適用して好適なユーザインタフェース技術に関する。
【背景技術】
【０００２】
近年、ＬＣＤ（Liquid Crystal Display）、有機ＥＬ（Electro Luminescence）、プラズマディスプレイ等、大型で薄型の表示デバイスが種々開発されており、この種の表示デバイスを利用した画像表示装置の開発も盛んに行われるに至っている。そして、その入力手段の１つとして、タッチパネルを内蔵したような画像表示装置が提案されている（例えば特許文献１等参照）。
【０００３】
このタッチパネルやタッチペンは、表示面に触れることで表示中の複数の画像の中から目的の画像を選択したり、その選択した画像に対する処理を表示面上での操作により指定するための入力装置として良く知られている。いずれも提示された画像やアイコンに直接働きかけるような感覚で操作できるので、ユーザインタフェースとして優れており、広く普及している。例えば、これらを内蔵したデジタルカメラも提案されている（例えば特許文献２等参照）。
【特許文献１】特開平５−２９０１４３号公報
【特許文献２】特開平１１−１３６５６８号公報
【発明の開示】
【発明が解決しようとする課題】
【０００４】
ところで、このタッチパネルやタッチペンによる選択や指定は、その痕跡が直接的に残るものではないので、その選択や指定の内容を別途提示する仕組みを備えないと、例えばどの画像に何の指定を行ったか把握できなくなってしまうおそれもある。
【０００５】
また、同一の表示面を複数人が見るような場合を想定すると、ある人によって選択・指示された内容が本人以外の人にも明確に伝達される仕組みを備えないと、混乱を生じさせてしまうおそれもある。
【０００６】
さらに、そもそも、タッチパネルやタッチペンは、不慣れな人にとっては、（表示面に触れるという）その使用方法が直感的に理解しづらいといったユーザインタフェースとしての問題を含んでいる。
【０００７】
この発明は、このような事情を考慮してなされたものであり、目的画像の選択や選択画像に対する処理指定等を直感的になじみやすい操作で行うことを可能とした画像表示装置および同装置の制御方法を提供することを目的とする。
【課題を解決するための手段】
【０００８】
前述した目的を達成するために、この発明の画像表示装置は、画像を表示する画像表示手段と、その表示位置に対応する前記画像表示手段の表示面上の位置に貼付部材が貼付された画像を検出する画像検出手段と、前記画像検出手段により検出された画像の画像データについて特定の処理が実行されるように制御する制御手段とを具備することを特徴とする。
【０００９】
また、この発明は、画像を表示する画像表示手段を備えた画像表示装置の制御方法であって、その表示位置に対応する前記画像表示手段の表示面上の位置に貼付部材が貼付された画像を検出し、この検出した画像の画像データについて特定の処理が実行されるように制御することを特徴とする。
【発明の効果】
【００１０】
この発明によれば、目的画像の選択や選択画像に対する処理指定等を直感的になじみやすい操作で行うことを可能とした画像表示装置および同装置の制御方法を提供することができる。
【発明を実施するための最良の形態】
【００１１】
以下、図面を参照してこの発明の実施形態について説明する。図１は、本発明の一実施形態に係る画像表示装置の外観（操作時）を示す図である。
【００１２】
この画像表示装置１は、大きく分けて、パネル部１０と本体部２０とからなる壁掛け型の電子機器であり、本体部２０には、電子ペン３０、電子イレーサ４０、デジタルカメラ５０が取り外し自在に収納することができる。
【００１３】
パネル部１０に表示されている複数の画像は、デジタルカメラ５０によって撮影された画像であり、デジタルカメラ５０が本体部２０に収納されると、デジタルカメラ５０に記録された画像データが本体部２０に取り込まれ、図１に示すように、パネル部１０に表示されるようになっている。パネル部１０は、指などが触れたかどうかを判定可能なタッチパネルとしての機能を備えており、ユーザは、指をパネル面上に当ててスライドさせることにより、各画像の表示位置を任意の位置に移動させることができる。
【００１４】
なお、ここでは、本体部２０に収納されたデジタルカメラ５０から新たに取り込まれた画像データがパネル部１０に表示される場合を想定するが、以前に取り込み済みの画像データを内蔵ハードディスクから読み出して再表示させることも可能である。
【００１５】
また、電子ペン３０は、このパネル部１０の表示面上に文字や絵などを手書きするためのデバイスであり、画像上にコメントやメッセージを記入することができる。一方、電子イレーサ４０は、不要な画像をパネル部１０の表示面から消す（デジタルカメラ５０等に記録された画像データを消去するのではなく、単にその表示のみを消去する）ためのデバイスである。
【００１６】
つまり、この画像表示装置１は、好きな所に写真を貼り付けてコメントやメッセージを書き入れたり、不要になった写真を剥がしたりする、例えばコルクボードのように使用することのできる電子機器であり、オフィスの会議室などに設置されて企画会議などに利用されるものである。
【００１７】
そして、この画像表示装置１は、パネル部１０の表示面上に貼付したり、パネル部１０の表示面上から剥がしたりを繰り返し可能な電子ピン６０ａ〜ｅを使い、あたかもコルクボード上の写真にピンを刺すような感覚で、特定の種類の電子ピン６０ａ〜ｅを目的の画像上に置くだけで、その画像の画像データについて特定の処理を行わせることをユーザが指示できるようにしたものであり、以下、この点について詳述する。
【００１８】
図２は、画像表示装置１の正面図（Ａ）および側面図（Ｂ）である。図示のように、この画像表示装置１は、壁に沿って垂直に設置される。なお、電子ピン６０ａは、画像の表示位置を固定、つまり移動を禁止すると共に、電子イレーサ４０による消去を禁止するためのピンである。従って、画像ａ１は、移動および消去が禁止された状態にある。電子ピン６０ａが置かれているので、この指定を行った本人以外の第三者も、その指定がなされた状態にあることが一目で理解できる。また、この電子ピン６０ａが置かれると、画像の影ａ４の描画がなくなる。換言すれば、この影ａ４が描画されていて、あたかも浮いているように表示されている画像は、指で触れてスライドさせることによって移動可能な状態を示している。例えば画像ａ２は、ユーザの操作で表示位置が移動した様子を示している。画像ａ３上に表示された「Ｐａｒｉｓ」は、電子ペン３０によって筆記された文字である。
【００１９】
図３は、画像表示装置１の概略構成を示す機能ブロック図である。図示のように、画像表示装置１は、ＣＰＵ１０１、ＲＯＭ１０２、本体操作部１０３、画像処理部１０４、内蔵メモリ１０５、ハードディスク１０６、インタフェース（Ｉ／Ｆ）部１０７、コネクタ１０８、画像表示部１０９、タッチパネル部１１０および電子ピン検出部１１１などを有している。
【００２０】
ＣＰＵ１０１は、この画像表示装置１全体の制御を司るプロセッサであり、ＲＯＭ１０２に格納された各種プログラムを実行することにより、後述するペン処理部、イレース処理部、メール処理部、ＰＣ送信処理部、プリント処理部などの各処理部を形成する。ＲＯＭ１０２は、このＣＰＵ１０１によって実行される各種プログラムを格納するプログラム書き換え可能な不揮発性の記憶媒体である。本体操作部１０３は、例えば本体部２０に設けられる電源スイッチなどであり、例えば電源スイッチが操作されると、電源のオン／オフを指示する制御信号をＣＰＵ１０１に供給する。
【００２１】
画像処理部１０４は、デジタルカメラ５０から取り込まれ符号化された画像データを画像表示部１０９が表示可能なデータ形式に再生したり、前述の影の描画を行うなど、この画像表示装置１の画像に関わる処理全般を司る。内蔵メモリ１０５は、ＣＰＵ１０１に作業領域を提供する、この画像表示装置１の主記憶となる記憶媒体である。一方、ハードディスク１０６は、この画像表示装置１の外部記憶となる記憶媒体であり、内蔵メモリ１０５の補助装置として各種データを大量に格納する。デジタルカメラ５０から取り込まれた画像データは、その取り込み毎にグループ化されて、このハードディスク１０６に格納される。
【００２２】
インターフェース部１０７は、例えばＵＳＢ（Universal Serial Bus）を介して接続される外部のパーソナルコンピュータ（ＰＣ−Ａ，ＰＣ−Ｂ）７１，７２やプリンタ７３との間の通信を制御すると共に、ＬＡＮ（Local Area Network）を介したメールの送受信を制御する。図１に示した電子ピン６０ａ〜ｅのうち、電子ピン６０ｂは、バネル部１０に表示された画像中の目的の画像を予め設定されたプリンタ（ここではプリンタ７３）に出力する指示を行うためのピンであり、紙が排出されているプリンタの形状を模した形態である。電子ピン６０ｃは、バネル部１０に表示された画像中の目的の画像をメールにより送信する指示を行うためのピンであって、封筒を模した形態である。また、電子ピン６０ｄ，ｅは、バネル部１０に表示された画像中の目的の画像を予め設定された外部のパーソナルコンピュータ（ここではＰＣ−Ａ７１，ＰＣ−Ｂ７２）に格納する指示を行うためのピンである。この電子ピン６０ｄ，ｅは、格納先のパーソナルコンピュータを間違わずに指定できるように異なる形態にされている。各種設定は、ＣＰＵ１０１がＲＯＭ１０２に格納されたプログラムを実行することにより形成されるメール処理部、ＰＣ送信処理部、プリント処理部によって各々行われ、その設定内容は、内蔵メモリ１０５に一時的に格納されると共に、ハードディスク１０６にも恒久的に格納される。
【００２３】
コネクタ１０８は、デジタルカメラ５０が本体部２０に収納された際、デジタルカメラ５０と画像表示装置１とを電気的に接続するものである。画像表示部１０９は、画像処理部１０４によって再生された画像データ等を表示する表示デバイスである。タッチパネル部１１０は、ユーザの指が触れたパネル部１０の表示面の位置や電子ペン３０の先端が触れたパネル部１０の表示面の位置を座標データとしてＣＰＵ１０１に通知する入力デバイスである。そして、電子ピン検出部１１１は、電子ピン６０ａ〜ｅが貼付されたパネル部１０の表示面の位置や電子イレーサ４０のイレース面が触れたパネル部１０の表示面の位置を座標データとしてＣＰＵ１０１に通知する入力デバイスである。
【００２４】
以上の構成要素のうち、画像表示部１０９、タッチパネル部１１０および電子ピン検出部１１１は、パネル部１０を構成するものであり、図４には、これらからなるパネル部１０のユニット構造が示されている。
【００２５】
図４に示すように、パネル部１０は、ユーザの目より遠い裏側から表側に向けて、画像表示部１０９、電子ピン検出部１１１、タッチパネル部１１０が重畳される。つまり、画像表示部１０９に表示されている画像に電子ペン３０の先端を付けると、その位置がタッチパネル部１１０で検出されてＣＰＵ１０１に通知され、また、電子ピン６０ａ〜ｅを貼付すると、その位置が電子ピン検出部１１１で検出されてＣＰＵ１０１に通知されるようになっている。電子ピン検出部１１１は、電子イレーサ４０の検出にも用いられる。タッチパネル部１１０は、自装置越しに画像表示部１０９を観賞可能ないわゆる透明タッチパネルであって、例えばＸ方向用とＹ方向用とにそれぞれ隙間を設けて配置された上下電極の対が押圧によって接触した際、その位置が電位勾配に比例することから電位差を検出して接触位置を算出する抵抗膜方式によるもの等であるが、これに限らず、静電方式や超音波方式等、いずれの方式も適用可能である。
【００２６】
図５は、電子ピン検出部１１１の詳細な構成を示すプロック図である。この電子ピン検出部１１１は、透明電極で構成されたコイルが、図示のように、ｍ×ｎの２次元マトリックス状に配列されている。このコイルは、電子ピン６０ａ〜ｅが発生させる磁界を検出するためのものであり、コイル位置アドレス設定回路１１１ａは、Ｘ軸ライン選択回路１１１ｂおよびＹ軸ライン選択回路１１１ｃの双方に対し、どのラインを選択すべきかを指示する制御信号を巡回的に送信して、この２次元マトリックス状に配列された各コイルが順次に選択されるように制御を行うと共に、どのコイルが選択対象となっているかを示す信号をＣＰＵ１０１に通知する。
【００２７】
電子ピン６０ａ〜ｅは、各種類毎に特有の信号（コード情報）を生成すべく磁界を発生させており、受信回路１１１ｄは、Ｘ軸ライン選択回路１１１ｂおよびＹ軸ライン選択回路１１１ｃにより選択されたコイル上を流れる電流値を検知して復調回路１１１ｅに出力する。復調回路１１１ｅは、この電流値の波形からコード情報を検出してＣＰＵ１０１に通知する。そして、ＣＰＵ１０１は、コイル位置アドレス設定回路１１１ａからの信号と復調回路１１１ｅからの信号とによって、どの位置にどの電子ピン６０ａ〜ｅが貼付されているかを判定することができる。
【００２８】
また、図６は、電子ピン６０ａ〜ｅの概略構成を示す機能ブロック図である。図示のように、電子ピン６０ａ〜ｅは、コントローラ２０１、メモリ２０２、送信部２０３、コア付きコイル部２０４および電池２０５などを有している。
【００２９】
電子ピン６０ａ〜ｅの各部は、電池２０５からの電力によって動作し、コントローラ２０１は、メモリ２０２に格納されたコード情報を読み出して送信部２０３に継続的に出力する。そして、送信部２０３は、この継続して入力されるコード情報を画像表示装置１の電子ピン検出部１１１に検出させるための磁界を発生させるべく変調を行い、コア付きコイル部２０４に目的の磁界を発生させる。この電子ピン６０ａ〜ｅの（形態以外の）構成はすべて同一であり、その種類によって、メモリ２０２に格納されるコード情報が変えられている。また、この電子ピン６０ａ〜ｅは、パネル部１０の表示面に貼着可能な粘着面を有している。なお、電子イレーサ４０の構成も、パネル部１０の表示面に貼着するための粘着面を有しない点を除いては、電子ピン６０ａ〜ｅとほぼ同様であり、メモリ２０２に格納されるコード情報が電子イレーサ４０に固有の値となっている。
【００３０】
以上のような構成をもつ画像表示装置１では、例えば、パネル部１０に表示されている画像のうち、ある画像をプリントアウトしたいと思った場合、ユーザは、その画像の上に電子ピン６０ｂを置くだけでよい。電子ピン６０ｂが置かれた位置およびその種類が電子ピン検出部１１１によって検出できるので、ＣＰＵ１０１は、その位置に表示されている画像を判定し、その画像の画像データをプリンタ７３に出力する。同様に、例えばある画像の画像データをＰＣ−Ａ７１に格納したいと思った場合、ユーザは、その画像の上に電子ピン６０ｄを置けばよく、ＰＣ−Ｂ７２の方に格納したいと思った場合には、電子ピン６０ｅを置けばよい。あたかもコルクボード上の写真にピンを刺すような感覚で、目的の画像の画像データについて特定の処理を行わせることが可能となる。また、例えば電子ピン６０ｂが置かれていれば、本人のみならず、本人以外の第三者も、その画像がプリントアウト済みであることが一目で理解できる。
【００３１】
また、ある画像の表示位置を移動させたいと思った場合、ユーザは、その画像上を指で触れて目的の位置までスライドさせればよい。この操作はタッチパネル部１１０によって検出できるので、ＣＰＵ１０１は、その位置に表示されている画像を判定し、ユーザの操作に応答させるべく画像の表示位置を移動させる。
【００３２】
なお、この電子ピン６０ａ〜ｅは、１つの画像に対して複数種類の電子ピン６０ａ〜ｅを置くことは当然に可能である。また、従来の電子ペン等による指示とは異なり、一時に同一の指示を複数の画像について行うことも可能である。例えば、プリントアウトしたい画像が３つあった場合、３つの電子ピン６０ｂを各々の画像上に置けばよい。
【００３３】
電子ピン６０ａ〜ｅが置かれると、その後、その貼付を検出し続けることになるが、ＣＰＵ１０１は、各々について、新たにその検出が行われたタイミングで、各種類毎の特定の処理を実行する。
【００３４】
次に、図７乃至図１０のフローチャートを参照して、この画像表示装置１の動作手順について説明する。
【００３５】
図７は、この画像表示装置１の基本フローある。画像表示装置１は、図８にその詳細な流れを示すタッチパネル処理（ステップＡ１）と、図９にその詳細な流れを示す電子ピン処理（ステップＡ２）とを順番に実行する。
【００３６】
図８に示すタッチパネル処理では、まず、デジタルカメラ５０が本体部２０に収納される（ステップＢ１）。そして、このデジタルカメラ５０に記憶された画像データが、コネクタ１０８を介して読み出されて画像処理部１０４によって再生され、パネル部１０の画像表示部１０９に表示される（ステップＢ２）。なお、ここでは、デジタルカメラ５０から新たに画像データを取り込む場合を想定しているが、このステップＢ１〜ステップＢ２は、以前に取り込み済みの画像データをハードディスク１０６から読み出して再生・表示する処理に置き換わることもある。
【００３７】
その後、パネル部１０の表示面上を手で触れる操作が行われると（ステップＢ３のＹＥＳ）、ＣＰＵ１０１は、その操作をタッチパネル部１１０からの信号で検知し、その触れられた位置に表示されている画像を判定する（ステップＢ４）。また、この場合、ＣＰＵ１０１は、その画像の表示位置に電子ピン６０ａが貼付されているかどうかを併せて判定し（ステップＢ５）、貼付されていれば（ステップＢ５のＹＥＳ）、この手入力操作を無視する。一方、電子ピン６０ａが貼付されていなければ（ステップＢ５のＮＯ）、ＣＰＵ１０１は、この手入力によるスライド先まで判定した画像の表示位置を移動させる（ステップＢ６）。
【００３８】
また、バネル部１０の表示面上を電子ペン３０で触れる操作が行われると（ステップＢ３のＮＯ，ステップＢ７のＹＥＳ）、ＣＰＵ１０１は、その操作をタッチパネル部１１０からの信号で検知し、その触れられた位置に表示されている画像を判定すると共に、電子ペン３０の軌跡を検出する（ステップＢ８）。そして、ＣＰＵ１０１は、この軌跡によって表される文字や絵を判定した画像に重畳させて表示及び記録する（ステップＢ９）。以上の処理は、ペン処理部によって実行される。なお、タッチパネル部１１０から信号を受け取った場合に、それが手および電子ペン３０のいずれによるものかを判断する方法としては、例えば電子ペン３０が本体部２０に収納された状態では手入力と見なす等、いずれの方法も適用可能である。
【００３９】
また、パネル部１０の表示面上を電子イレーサ４０で触れる操作が行われると（ステップＢ７のＮＯ，ステップＢ１０のＹＥＳ）、ＣＰＵ１０１は、その操作を電子ピン検出部１１１からの信号で検知し、その触れられた位置に表示されている画像を判定する（ステップＢ１１）。また、この場合、ＣＰＵ１０１は、その画像の表示位置に電子ピン６０ａが貼付されているかどうかを併せて判定し（ステップＢ１２）、貼付されていれば（ステップＢ１２のＹＥＳ）、この手入力操作を無視する。一方、電子ピン６０ａが貼付されていなければ（ステップＢ１２のＮＯ）、ＣＰＵ１０１は、判定した画像をパネル部１０の表示面から消去する（ステップＢ１３）。以上の処理は、イレース処理部によって実行される。
【００４０】
なお、この電子イレーサ４０による消去は、表示面上からの消去のみであるが、例えば電子イレーサ４０に設けられたボタンを押下しながら同一操作を行った場合、該ボタンを押下せずに操作した場合とは異なる信号を検出させるための磁界を発生させるように電子イレーサ４０を構成することも容易であり、かつ、この操作の場合、表示面上からの消去のみでなく、ハードディスク１０６からの消去を伴うものとすることも可能である。そして、この操作が行われると（ステップＢ１０のＮＯ，ステップＢ１４のＹＥＳ）、ＣＰＵ１０１は、触れられた位置に表示されている画像を判定すると共に（ステップＢ１５）、その画像の表示位置に電子ピン６０ａが貼付されているかどうかを判定し（ステップＢ１６）、貼付されていなければ（ステップＢ１６のＮＯ）、この判定した画像をハードディスク１０６から消去する（ステップＢ１７）。
【００４１】
また、図９に示す電子ピン処理では、まず、電子ピン６０ａ〜ｅのいずれかが目的の画像上に貼付される（ステップＣ１）。そうすると、ＣＰＵ１０１は、その貼付位置を電子ピン検出部１１１からの信号により検出し（ステップＣ２）、その検出した位置に表示されている画像を判定する（ステップＣ３）。そして、ＣＰＵ１０１は、その貼り付けられた電子ピン６０ａ〜ｅの種類を電子ピン検出部１１１からの信号により検出し（ステップＣ４）、その検出した種類に応じた処理を実行する（ステップＣ５）。図１０には、このステップＣ５の処理の詳細な流れが示されている。
【００４２】
もし、画像固定用の電子ピン６０ａであれば（ステップＤ１のＹＥＳ）、ＣＰＵ１０１は、その画像の移動や消去を禁止する固定処理を行う（ステップＤ２）。なお、この固定処理は、実質的には何らの処理も行われず、移動や消去が指示された際に、その貼付有無が考慮されるものである。
【００４３】
また、プリント用の電子ピン６０ｂであれば（ステップＤ３のＹＥＳ）、ＣＰＵ１０１は、その画像データをプリンタ７３に出力するプリント処理を行う（ステップＤ４）。この処理は、プリント処理部が実行する。メール用の電子ピン６０ｃであれば（ステップＤ５のＹＥＳ）、ＣＰＵ１０１は、例えば予めハードディスク１０６に格納されたアドレスを選択肢として一覧表示していずれかのアドレスを選択させ（ステップＤ６）、そのアドレス宛てに画像を送信するメール処理を行う（ステップＤ７）。この処理は、メール処理部が実行する。
【００４４】
そして、格納用の電子ピン６０ｄまたは電子ピン６０ｅであれば（ステップＤ８のＹＥＳ）、画像をＰＣ−Ａ７１，ＰＣ−Ｂ７２に格納させるための送信処理を行う（ステップＤ９）。
【００４５】
以上のように、この画像表示装置１では、パネル部１０に表示された画像上に電子ピン６０ａ〜ｅを貼付するといった、コルクボードを使用しているような使用感で、各画像画像データについての処理指示を行うことができる。つまり、目的画像の選択や選択画像に対する処理指定等を直感的になじみやすい操作で行うことを可能とする。
【００４６】
なお、ＣＰＵ１０１に対し上記機能を実行するソフトウェアのプログラムを供給し、このＣＰＵ１０１が、供給されたプログラムに従って上記動作させることによって上記実施の形態の機能を実現したものも、本発明の範疇に含まれる。つまり上記ソフトウェアのプログラム自体が上述した実施の形態の機能を実現することになり、そのプログラム自体は本発明を構成する。
【００４７】
また、これらのプログラムは前述のＲＯＭ１０２以外の記録媒体の形式でＲＡＭに記憶され、ＲＡＭから読み出されて実行されていも良い。更に、上記プログラムは画像表示装置２０に着脱可能な記録媒体に格納されても良い。記録媒体としては、フロッピィディスク（登録商標）、ＣＤ−ＲＯＭの他にも、ＤＶＤ等の光学記録媒体、ＭＤ等の磁気記録媒体、テープ媒体、ＩＣカード等の半導体メモリ等を用いることができる。
【００４８】
また、専用通信ネットワークやインターネットに接続されたサーバシステムに設けたハードディスクまたはＲＡＭ等の格納装置を記録媒体として使用し、通信網を介してプログラムを画像表示装置１に提供してもよい。あるいは他のアプリケーションソフト等と協働して上述の実施の形態の機能が実現される場合にも、かかるプログラムが本発明の実施の態様に含まれることはいうまでもない。
【００４９】
つまり、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５０】
【図１】本発明の実施形態に係る画像表示装置の外観（操作時）を示す図
【図２】同実施形態の画像表示装置の正面図および側面図
【図３】同実施形態の画像表示装置の概略構成を示す機能ブロック図
【図４】同実施形態の画像表示装置が備えるパネル部のユニット構造を示す図
【図５】同実施形態の画像表示装置が備えるパネル部の構成要素である電子ピン検出部の詳細な構成を示すプロック図
【図６】同実施形態の画像表示装置が備えるパネル部に貼付される電子ピンの概略構成を示す図
【図７】同実施形態の画像表示装置の動作手順を示す第１のフローチャート（基本フロー）
【図８】同実施形態の画像表示装置の動作手順を示す第２のフローチャート（タッチパネル処理）
【図９】同実施形態の画像表示装置の動作手順を示す第３のフローチャート（電子ピン処理）
【図１０】同実施形態の画像表示装置の動作手順を示す第４のフローチャート（図９のステップＣ５の詳細フロー）
【符号の説明】
【００５１】
１…画像表示装置、１０…パネル部、２０…本体部、３０…電子ペン、４０…電子イレーサ、５０…デジタルカメラ、６０ａ〜ｅ…電子ピン、７１，７２…外部ＰＣ、７３…プリンタ、１０１…ＣＰＵ、１０２…ＲＯＭ、１０３…本体操作部、１０４…画像処理部、１０５…内蔵メモリ、１０６…ハードディスク、１０７…インタフェース部、１０８…コネクタ、１０９…画像表示部、１１０…タッチパネル、１１１…電子ピン検出部、２０１…コントローラ、２０２…メモリ、２０３…送信部、２０４…コア付きコイル部、２０５…電池。
【図１】
2006155194.tif 000003
【図２】
2006155194.tif 000004
【図３】
2006155194.tif 000005
【図４】
2006155194.tif 000006
【図５】
2006155194.tif 000007
【図６】
2006155194.tif 000008
【図７】
2006155194.tif 000009
【図８】
2006155194.tif 000010
【図９】
2006155194.tif 000011
【図１０】
2006155194.tif 000012